(57)【要約】【課題】  事前に施工用シートに寸法マークや墨打ちを施こさずとも階段敷設シートを軽便に且つ効率良く裁断することができる階段敷設シートの裁断機を提供する。【解決手段】  施工用シートＥの片端に摺接される把手付きシートガイド１に対して横長スケール２を直角状に設け、施工用シートに折り曲げ加工を施すための直刃カッター６を備えてなる第１刃支持体（Ａ）と、略弓状に形成され内側を施工用シートの裁断実行刃とする裁断用刃体（フックカッター）７を備えてなる第２刃支持体（Ｂ）とを横長スケール２に長さ方向にスライド自在に設けたり、施工用シートＥに裁断前に補助用切り溝を施す刃体１０と略弓状に形成され内側を施工用シートの裁断用刃体とする裁断用刃体（フックカッター）７とを一直線状に配置した第３刃支持体（Ｃ）を前記横長スケール２の長さ方向にスライド自在に設けたり、施工用シートに折り曲げ加工を施すための刃体（Ｕ溝カッター）６’と裁断用刃体(直刃カッター)６とを近接して並行状に備えた第４刃支持体（Ｄ）を前記横長スケール２に長さ方向にスライド自在に設けてなる。【選択図】  図１
0003114893.tif 000002
【実用新案登録請求の範囲】
【請求項１】
施工用シートの片端に摺接される把手付きシートガイドに対して横長スケールを直角状に設け、
施工用シートに折り曲げ加工を施すための刃体を備えてなる第１刃支持体（Ａ）と、
略弓状に形成され内側を施工用シートの裁断実行刃とする裁断用刃体を備えてなる第２刃支持体（Ｂ）とを前記横長スケールに長さ方向にスライド自在に設けたことを特徴とする階段敷設シートの裁断機。
【請求項２】
前記横長スケールを、一端を前記把手付きシートガイドに固定する支持型材下面に横長帯板状のスケール本体を設けて形成し、該支持型材に前記第１刃支持体（Ａ）及び第２刃支持体（Ｂ）を横長スケールの長さ方向に位置変更可能に設け、前記第１刃支持体（Ａ）は第２刃支持体（Ｂ）と前記把手付きシートガイドとの間に配置し且つ前記把手付きシートガイド及びスケール本体よりも若干下位に位置して裁断作業床面とで施工用シートを押えるシート押さえを形成してなり、その第１刃支持体（Ａ）にシート押さえから出没可能に折り曲げ加工を施すための刃体を取付け、前記把手付きシートガイドを把持して当該把手付きシートガイドを加工用シートの片端に摺接させる際、前記シート押さえを支点にして第２刃支持体（Ｂ）に備えた裁断用刃体を裁断作業床面から浮上可能にしていることを特徴とする請求項１記載の階段敷設シートの裁断機。
【請求項３】
施工用シートの片端に摺接される把手付きシートガイドに対して横長スケールを直角状に設け、
施工用シートに裁断前に補助用切り溝を施す刃体と略弓状に形成され内側を施工用シートの裁断用刃体とする裁断用刃体とを一直線状に配置してなる第３刃支持体（Ｃ）を前記横長スケールのその長さ方向スライド自在に設けたことを特徴とする階段敷設シートの裁断機。
【請求項４】
施工用シートの片端に摺接される把手付きシートガイドに対して横長スケールを直角状に設け、
施工用シートに折り曲げ加工を施すための刃体と裁断用刃体とを近接して並行に備えてなる第４刃支持体（Ｄ）を前記横長スケールに長さ方向にスライド自在に設けたことを特徴とする階段敷設シートの裁断機。
【請求項５】
前記把手付きシートガイドは、前記施工用シートの片側を差し入れて裁断時の摺接状態を安定させるシート案内溝を長さ方向に沿って有することを特徴とする請求項１〜４いずれか１項に記載の階段敷設シートの裁断機。
【考案の詳細な説明】
【技術分野】
【０００１】
本考案は、施工用シート（原反シート）から階段の踏み面と蹴込面に敷設される敷設シートを個別に切り分けて裁断する際に使用される階段敷設シートの裁断機に関するものである。
【背景技術】
【０００２】
従来、施工用シートから階段の踏み面と蹴込面に敷設される敷設シートを切り分ける場合、シートの裏面側に寸法マーク付けや墨打ちを行なった後に、その印に直定規を当て、直定規を手で固定保持した状態で直定規に沿って手持ちのカッターを移動させることにより施工用シートを裁断していた。
その際、階段の踏み面に敷設される踏み面部と階段の蹴込面に敷設される蹴込面部とが別々に裁断される場合と同一体に裁断される場合があり、特に後者の場合には、現場での踏み面部と蹴込面部との境界における折り曲げ施工を容易且つ美麗にするために、裏面側に踏み面部と蹴込面部の境界に沿って折り曲げ加工用の筋溝を手持ちのカッターで施していた。
【０００３】
この様な従来の手持ちの直刃カッターによる裁断作業は大変な重労働であるだけでなく、施工用シートに裁断する箇所や折り曲げ加工する箇所に寸法マークや墨打ちを細かく施こす必要があるため作業効率も良くない。特に、施工用シートが硬質樹脂製の場合には、手持ちの直刃カッターを何度か当てないと裁断できないので、更に作業効率が悪くなり大変な重労働であった。
尚、本願出願人が知っている前記の先行技術は文献公知発明に係るものではないため、本願明細書には先行技術文献情報を開示しない。
【考案の開示】
【考案が解決しようとする課題】
【０００４】
本考案はこの様な現状に鑑みてなされたものであり、その目的とする処は、事前に施工用シートに寸法マークや墨打ちを施こさずとも階段敷設シートを個別に切り分けて裁断することができ、従って現場における作業効率を大幅に向上させることが可能な階段敷設シートの裁断機を提供することにある。
また、本考案の他の目的とする処は、施工用シートから階段敷設シートを軽便に切り分け裁断することが出来る階段敷設シートの裁断機を提供することにある。
更に本考案の他の目的とする処は、階段の踏み面に敷設される踏み面部と階段の蹴込面に敷設される蹴込面部とを施工用シートから同一体に切り分け裁断することが出来ると共に、踏み面部と蹴込面部との境界に折り曲げ加工を同時に施こすことが可能な裁断機を提供することにある。
【課題を解決するための手段】
【０００５】
本考案が前記課題を解決するために講じた技術的手段は、施工用シートの片端に摺接される把手付きシートガイドに対して横長スケールを直角状に設け、施工用シートに折り曲げ加工を施すための刃体を備えてなる第１刃支持体（Ａ）と、略弓状に形成され内側を施工用シートの裁断実行刃とする裁断用刃体を備えてなる第２刃支持体（Ｂ）とを前記横長スケールに長さ方向にスライド自在に設けたことを特徴とする階段敷設シートの裁断機である（請求項１）。
【０００６】
この階段敷設シートの裁断機によれば、把手付きシートガイドを施工用シートの片端に沿って摺動させながら第１刃支持体（Ａ）と第２刃支持体（Ｂ）を操作することにより、階段の踏み面に敷設される踏み面部と階段の蹴込面に敷設される蹴込面部とが同一体に切り分け裁断されると同時に、踏み面部と蹴込面部との境界に折り曲げ加工が施こされる。
また、第２刃支持体（Ｂ）に備えられた裁断用刃体は、内面を裁断実行刃とする略弓状を呈しており、施工用シートを裁断している時にその刃先（裁断実行刃）が裁断作業面に当ることがない。
【０００７】
特に請求項１に記載の階段敷設シートの裁断機において、前記横長スケールを、一端を前記把手付きシートガイドに固定する支持型材下面に横長帯板状のスケール本体を設けて形成し、該支持型材に前記第１刃支持体（Ａ）及び第２刃支持体（Ｂ）を横長スケールの長さ方向に位置変更可能に設け、前記第１刃支持体（Ａ）は第２刃支持体（Ｂ）と前記把手付きシートガイドとの間に配置し且つ前記把手付きシートガイド及びスケール本体よりも若干下位に位置して裁断作業床面とで施工用シートを押えるシート押さえを形成してなり、その第１刃支持体（Ａ）にシート押さえから出没可能に折り曲げ加工を施すための刃体を取付け、前記把手付きシートガイドを把持して当該把手付きシートガイドを加工用シートの片端に摺接させる際、前記シート押さえを支点にして第２刃支持体（Ｂ）に備えた裁断用刃体を裁断作業床面から浮上可能にするとより好適なものとなる（請求項２）。
【０００８】
また、本考案の請求項３に係る階段敷設シートの裁断機は、施工用シートの片端に摺接される把手付きシートガイドに対して横長スケールを直角状に設け、
施工用シートに裁断前に補助用切り溝を施す刃体と略弓状に形成され内側を施工用シートの裁断用刃体とする裁断用刃体とを一直線状に配置してなる第３刃支持体（Ｃ）を前記横長スケールのその長さ方向スライド自在に設けたことを特徴としたものである。
【０００９】
係る階段敷設シートの裁断機によれば、補助用の切り溝を施す刃体により施工用シートに補助用切り溝が施され、連続してその補助用切り溝上を裁断用刃体で裁断されることになる。従って、手持ちの直刃カッターでは裁断し難い硬質樹脂製の施工用シートから階段敷設シートを裁断する際に好適である。
【００１０】
また、本考案の請求項４に係る階段敷設シートの裁断機は、施工用シートの片端に摺接される把手付きシートガイドに対して横長スケールを直角状に設け、施工用シートに折り曲げ加工を施すための刃体と裁断用刃体とを近接して並行に備えてなる第４刃支持体（Ｄ）を前記横長スケールに長さ方向にスライド自在に設けたことを特徴としたものである。
上記裁断用刃体としては、請求項１記載の裁断用刃体は勿論のこと、平板形状をした直刃カッターを使用することができる。
【００１１】
以上の請求項１〜４に記載の階段敷設シートの裁断機にあっては、把手付きシートガイドを施工用シート片端に沿って摺動させて、折り曲げ加工を施した後、横長スケールの長さ方向にスライドさせて位置変更して、裁断用刃体を使用して踏み面部と蹴込面部を合わせた巾寸法で裁断することができる。
【００１２】
更に、請求項１〜４において、折り曲げ加工を施す刃体としては、断面が略Ｕ字形状をしたＵ溝カッター、通常の平板形状をした直刃カッター等を挙げることができる。また、裁断前に補助用切り溝を施す刃体としては、通常の平板形状をした直刃カッター等を挙げることができる。そして、裁断用刃体としては、略弓状に形成され内側を施工用シートの裁断実行刃とする刃体以外では、平板形状をした直刃カッター等を使用することができるものである。
【００１３】
そして、把手付きシートガイドが、前記施工用シートの片端を差し入れて裁断時の摺接状態を安定させるシート案内溝を長さ方向に沿って有する構成にしてあると、裁断機を施工用シートに沿って裁断方向に摺動させる際に安定する（請求項５）。
【考案の効果】
【００１４】
本考案は以上のように構成したので下記の利点がある。
請求項１に記載の階段敷設シートの裁断機によれば、第１刃支持体（Ａ）と第２刃支持体（Ｂ）を横長スケールの所定の目盛に合わせた後に把手付きシートガイドを施工用シートの片端に沿って摺動させるだけで踏み面部と蹴込面部とが同一体に切り分け裁断されると同時に、踏み面部と蹴込面部との境界に折り曲げ加工が施こされる。よって、事前に施工用シートに寸法マークや墨打ちを施こさずとも階段敷設シートを切り分け裁断することができる。その結果、現場における作業効率を大幅に向上させることが可能となる。
その上、施工用シートは、略弓状に形成され内側を裁断実行刃で裁断されるため、平板形状に形成された直刃カッターを使用した場合と異なり、裁断作業床面を傷付ける恐れがないと共に、裁断実行刃が（硬質の）裁断作業床面でもって損傷される恐れもない。
【００１５】
また、請求項２に記載の階段敷設シートの裁断機によれば、把手付きシートガイドよりも若干下位に位置するシート押さえと裁断作業床面とで施工用シートを押えて、そのシート押さえを支点にして第２刃支持体（Ｂ）で支持された裁断用刃体（略弓状に形成され内側を施工用シートの裁断実行刃）を裁断作業床面から浮上可能にしているので、裁断作業床面の不陸の影響を受けずに踏み面部と蹴込面部との境界部分に折り曲げ加工を施すことができるし、施工用シートを端面から引掛け裁断する裁断実行刃の外下縁が裁断作業床面に擦れて裁断作業床面を傷付ける恐れがない。
【００１６】
また、請求項３に記載の階段敷設シートの裁断機によれば、補助用の切り溝を施す刃体により施工用シートに補助用切り溝が施され、連続してその補助用切り溝上を裁断用刃体で裁断されることになるので、手持ちの直刃カッターでは裁断し難い硬質樹脂製の施工用シートであっても比較的容易に階段敷設シートを切り分け裁断することが出来る。
【００１７】
また、請求項４に記載の階段敷設シートの裁断機によれば、折り曲げ加工用の筋溝を簡便に施すことが出来るだけでなく、筋溝を施した後に当該筋溝上に裁断用刃体を合わせることにより、手持ちの直刃カッターでは裁断し難い硬質樹脂製の施工用シートであっても比較的容易に階段敷設シートを切り分け裁断することが出来る。
【００１８】
そして、請求項５に記載の階段敷設シートの裁断機によれば、把手付きシートガイドが施工用シートの片側を差し入れて摺接するシート案内溝を有しているので、裁断機を安定させて裁断でき、高精度な裁断を行なうことができる。
【考案を実施するための最良の形態】
【００１９】
次に、本考案に係る階段敷設シート裁断機の好適な実施の形態を図面に基づいて説明する。
図１〜図７は第１の実施の形態を、図８は第２の実施形態を、図９は第３の実施形態を、各々示している。
【００２０】
第１実施例に係る裁断機は、軟質樹脂製の施工用シート（原反シート）Ｅから階段加工用シートを切り分け裁断するのに好適なものである。
この裁断機は、図１〜図３等に示すように把手付きシートガイド１と、その把手付きシートガイド１に対して直角状に設けられる横長スケール２と、その横長スケール２の長さ方向にスライド自在に設けられる、施工用シートに折り曲げ加工を施すための刃体（直刃カッター）６を備えた第１刃支持体Ａと、略弓状に形成され内側を施工用シートの裁断実行刃とする裁断用刃体７（フックカッター）を備えた第２刃支持体Ｂとを備えている。
【００２１】
把手付きシートガイド１は、所要長さを有するＬ型材１１のその水平帯板１１ａの上面コーナー部位に施工用シートＥの厚みよりも若干厚い厚みを有する間隔保持部材２１を長手方向に全長に亘って所要の手段で固着し、その間隔保持部材２１に帯状板３１の長手側端部を鋲着等の適宜な固定手段で固定して、施工用シートＥの片側辺を差し入れ可能とするシート案内溝３を形成し、Ｌ型材１１の垂直帯板１１ｂ外側面にその長手方向に沿って把手部材４を設けている（図１〜図３参照）。
また、把手付きシートガイド１には、そのＬ型材１１の水平帯板１１ａ下面（裏面）に滑り材１１ｃがその長手方向全長に亘って貼着されている。
【００２２】
把手部材４は、図３に示すように本実施の形態では、断面略コ字形をしたコ型材１４を用い、該コ型材１４を所要の長さに形成してＬ型材１１の垂直帯板１１ｂの外面に固定せしめ、コ型材１４の上面と外側面とにわたって逆Ｌ字状の木製把手体２４を被着した構成になっている。
【００２３】
横長スケール２は、横長帯板状のスケール本体１２と、そのスケール本体１２を支持する支持型材２２とから構成されている。
【００２４】
支持型材２２は、図４〜図７に詳しく示すように、断面略Ｃの字形をした型材を用い、その下面（裏面側）に横長帯板状のスケール本体１２を適当な固定手段で固定すると共に、断面略Ｃの字形をした型材の開放部２２ａ側を前方、すなわち裁断方向に向けて配置してなり、その一端側を帯状板３１の前端にスケール本体１２がその帯状板３１と同じ面となるようにして間隔保持部材２１に鋲着等の適宜な手段でもって固定され、更に、支持型材２２の上面から背面側にわたって木材等を用いて逆Ｌ字状に形成された把手部材５が固定されている。
【００２５】
また、横長帯板状のスケール本体１２は、支持型材２２よりも巾広に形成され、目盛り部１２ａ’を有する帯状板エリア１２ａを支持型材２２の開放部２２ａと同様に裁断方向上流側に張り出させて支持型材２２の下面（裏面）に固定されている。
【００２６】
支持型材２２には、折り曲げ加工用の直刃カッター６や裁断用のフックカッター７を取付けるための第１刃支持体Ａ、第２刃支持体Ｂが長さ方向にスライド自在に且つ抜き差し自在に設けられ、第１刃支持体Ａ、第２刃支持体Ｂを適宜スライドすることによって、横長スケール２に対してその折り曲げ加工用の直刃カッター６及び裁断用のフックカッター７が位置変更可能になっている。
【００２７】
折り曲げ加工用の直刃カッター６の第１刃支持体Ａは、図４及び図６に示すように支持型材２２の開放部２２ａにおける上下端縁の内面に当接する当て板３２から突設するボルト４２に蝶ナット５２で弛緩可能に締結される締結面６２ａと、その締結面６２ａと直角な刃体取付面６２ｂとを有する横向きＬ形体６２の下端から把手付きシートガイド１の下面レベルよりも若干下位に位置するシート押さえ７２を延設した構成になっている。
【００２８】
シート押さえ７２は、図４に示すように目盛り部１２ａ’上方を通過する下向き傾斜状にして、その先端部をシート押さえ実行部にしてなり、刃体取付面６２ｂの延長上に刃体進入スリット７２ａを切欠き形成し、その刃体進入スリット７２ａから刃体取付面６２ｂに取り付けられた折り曲げ加工用の直刃カッター６が出没可能になっている。
なお、符号６ａは刃体取付面６２ｂに折り曲げ加工用の直刃カッター６を出没可能に取り付けるための取付金具を示す。
【００２９】
他方、フックカッター７を支持する第２刃支持体Ｂは、図５及び図７に示すように、第１刃支持体Ａと比較してシート押さえ実行部がないだけでほぼ同様に構成され、弛緩可能に蝶ナット４２で締結される横向きＬ形体６２の刃体取付面６２ｂにフックカッター７が取付金具７ａを介してスケール本体１２の前方位置で出没可能となるように取り付けられている。
【００３０】
フックカッター７は、施工用シートＥを端縁から引掛け裁断する略弓形状に形成された刃部１７を両端に有し、その弓状刃部１７はその内側を裁断実行刃１７ａとしている。
【００３１】
ちなみに、第１刃支持体Ａ及び第２刃支持体Ｂは、どちらも蝶ナット５２、５２を弛緩することによって、支持型材２２の他端側（図１参照）から抜き取ることができるように構成されている。
【００３２】
次に、第１実施例に係る裁断機で施工用シートＥを裁断する工程を説明する。
先ず、裁断機の第１刃支持体Ａを横長スケール２の長手方向に沿ってスライドさせて、折り曲げ加工用の直刃カッター６を折り曲げ加工位置（踏み面部と蹴込面部との境界位置）２００にセットすると共に、第２刃支持体Ｂを同様に横長スケール２の長手方向に沿ってスライドさせて裁断用フックカッター７を、裁断加工位置（施工用シートＥの片側縁から蹴込面巾寸法Ｌ２と踏み面巾寸法Ｌ３を合計した寸法位置）３００にセットする。そして、施工用シートＥの片端が間隔保持部材２１に突き当たるように施工用シートＥの片側辺をシート案内溝３に差し込み、第２刃支持体Ｂに取り付けられたフックカッター７の弓状刃部１７を施工用シートＥの端、すなわち裁断始端部に引掛ける用にして当て、把手付きシートガイド１及び横長スケール２の把手部材４、５を共に把持して裁断機を裁断方向（Ｘ方向）に移動させる。
すると、施工用シートＥが、第１刃支持体Ａに取り付けられた直刃カッター６でもって踏み面部と蹴込面部との境界位置２００に沿って折り曲げ加工が施されると同時に、第２刃支持体Ｂ取り付けられたフックカッター７でもって蹴込面巾寸法Ｌ２と踏み面巾寸法Ｌ３を合わせた寸法幅に切り分け裁断される。
この際、図３に示すようにシート押さえ７２が支点になってフックカッター７は裁断作業床面Ｆから浮上した状態に維持されるので、施工用シートＥの裁断作業時にフックカッター７で裁断作業床面Ｆが傷付けられることがない。
【００３３】
施工用シートＥは、図１に示すように、シートの幅方向に階段巾Ｌ１寸法に墨出しされた線１００に沿ってシートの裏側から手持ちの直刃カッター等でもって事前に切れ目が入れられ、裁断機で個々の階段の踏み面部と蹴込面部の大きさに合わせて裁断した後に、線１００から分離して積み重ねその状態で施工現場に搬入しても良いし、裁断機で個々の階段の踏み面部と蹴込面部の大きさに合わせて裁断された状態の施工用シートＥを、その長手方向にロール状に巻き上げて施工現場に搬入し、施工現場にて個々に切り分けるようにしても良い。
そして、裁断機でもって現場の階段巾に適合した大きさの階段敷設シートに切り分けられた階段敷設シートは現場の階段に仮置き後、接着剤を用いて踏み面部と蹴込面部にそれぞれ貼着される。
【００３４】
また、第１実施例に係る裁断機の場合、第１刃支持体Ａ又は第２刃支持体Ｂのどちらか一方を支持型材２２から抜き取ってしまうか、若しくは第１刃支持体Ａ及び第２刃支持体Ｂを支持型材２２に取り付けたままの状態で第１刃支持体Ａの直刃カッター６と第２刃支持体Ｂのフックカッター７の施工用シートＥに対する突出具合を調節することにより、直刃カッター６又はフックカッター７のどちらか一方のみを使用して施工用シートＥを切り分け裁断することも可能である。
【００３５】
次に、図８に示した第２実施例に係る裁断機について説明する。
この第２実施例に係る裁断機は、施工用シートＥが特に硬質樹脂製シートで形成されている場合に有効であり、第１実施例で説明した第２刃支持体Ｂとほぼ同様に構成され刃体取付面６２ｂの張り出し量を大きく形成した第３刃支持体Ｃを、支持型材２２にその長さ方向にスライド自在で且つ抜き差し自在に設けてなる。
そして、この第３刃支持体Ｃ（の刃体取付面６２ｂ）には、裁断用の刃体（フックカッター）７と裁断前の補助切り用の刃体（直刃カッター）１０とが、取付金具８でスケール本体１２の前方位置にあって刃体取付面６２ｂ下端から出没可能に、フックカッター７を直刃カッター１０よりも前方側に一直線状に配置して取り付けられている。
【００３６】
従って、この第２実施例に係る裁断機で施工用シートＥを切り分け裁断する場合には、第３刃支持体Ｃを横長スケール２の長さ方向にスライドさせて、フックカッター７及び補助切り用直刃カッター１０を施工用シートＥの裁断加工位置（例えば、図１に示した線３００）に合わせた後に、裁断機を裁断方向（Ｘ方向）に移動させると、始め補助切り用直刃カッター１０で線３００をなぞるようにして施工用シートＥに切り込みが形成され、次いでその切り込みがフックカッター７でもって完全に分離裁断され、階段の踏み面及び／又は蹴込面の巾寸法をもって階段敷設シートが得られる。
【００３７】
次に、図９に示した第３実施例に係る裁断機について説明する。
この第３実施例に係る裁断機は、第１実施例で説明した第２刃支持体Ｂとほぼ同様に構成され第４刃支持体Ｄを、支持型材２２にその長さ方向にスライド自在で且つ抜き差し自在に設けてなる。そして、この第４刃支持体Ｄ（の刃体取付面６２ｂ）には、施工用シートＥに折り曲げ加工を施すための刃体（Ｕ溝カッター）６’と、施工用シートＥを裁断するための刃体（直刃カッター）７とが、シート押さえ７２から近接して並行状に出没可能に取付金具９で取り付けられており、シート押さえ７２には第１実施例と同様に刃体進入スリット７２ａを設けられ、そこから下方に出没するように構成されている。
【００３８】
よって、この第３実施例に係る裁断機で施工用シートＥを切り分け裁断する場合には、Ｕ溝カッター６’と直刃カッター７のどちらか一方を選択して使用できるので、例えばＵ溝カッター６’で施工用シートＥに断面略Ｕ字形状をした折り曲げ加工を施すことができるだけでなく、特に施工用シートＥが硬質の樹脂で形成されていた場合に、Ｕ溝カッター６’で溝切り加工を施した後に、代わりに直刃カッター７を突出させて溝切り加工部分を上からなぞることにより、階段敷設シートを容易に裁断することが可能となる。
【００３９】
加えて、特に施工用シートが硬質樹脂製シートからなる場合に、この第３実施例に係る裁断機のように、Ｕ溝カッター６’を用いて施工用シートＥに断面略Ｕ字形状をした折り曲げ加工すると、直刃カッター７で折り曲げ加工した場合と比較して、階段敷設シートを踏み面部と蹴込面部との境界に沿って綺麗に折り曲げることが出来るようになる。
【００４０】
なお、施工用シートを裁断する際の補助切り溝加工及び裁断は、施工用シートの裏面側から行なうことが好ましい。
【図面の簡単な説明】
【００４１】
【図１】本考案第１実施例に係る裁断機の使用状態を示す平面図。
【図２】同拡大平面図。
【図３】同拡大正面図。
【図４】直刃カッター（折り曲げ加工用の刃体）を備えた第１刃支持体（Ａ）の          一部切欠拡大斜視図。
【図５】裁断用刃体（フックカッター）を備えた第２刃支持体（Ｂ）の一部切欠          拡大斜視図。
【図６】図４の（６）−（６）線に沿う断面図。
【図７】図５の（７）−（７）線に沿う断面図。
【図８】本考案第２実施例に係る裁断機における第３刃支持体（Ｃ）の一部切欠拡大          斜視図。
【図９】本考案第３実施例に係る裁断機における第４刃支持体（Ｄ）の一部切欠拡大          斜視図。
【符号の説明】
【００４２】
Ａ：第１刃支持体
Ｂ：第２刃支持体
Ｃ：第３刃支持体
Ｄ：第４刃支持体
Ｅ：施工用シート
Ｆ：裁断作業床面
１：把手付きシートガイド
２：横長スケール
３：シート案内溝
４：把手（把手部材）
６：刃体(直刃カッター)
６’：刃体（Ｕ溝カッター）
７：裁断用刃体（フックカッター）
１０：補助切り用の刃体（直刃カッター）
１００：補助切り溝
１２：スケール本体
１２ａ’：目盛り部
１７：弓状刃部
１７ａ：裁断実行刃
２２：支持型材
７２：シート押さえ
【図１】
0003114893.tif 000003
【図２】
0003114893.tif 000004
【図３】
0003114893.tif 000005
【図４】
0003114893.tif 000006
【図５】
0003114893.tif 000007
【図６】
0003114893.tif 000008
【図７】
0003114893.tif 000009
【図８】
0003114893.tif 000010
【図９】
0003114893.tif 000011